(57)【要約】【課題】  記録メディアのデータ読み取り方法の向上と、人体検知センサーの設置による操作性の向上を可能とする画像出力装置等を提供する。【解決手段】  画像出力装置１０１の制御部３０１は、記録メディア１２３から画像データを読み取る際、メディア選択画面８００で選択された記録メディアの種類に応じたメディア番号８０１の記録メディア読取書込部３０７からスキャンを開始し、当該記録メディア読取書込部３０７に前記記録メディアが挿入されていない場合は、記録メディア挿入ログ情報等に基づいたスキャン順序に従って、他の記録メディア読取書込部３０７を、順次、スキャンする。【選択図】  図８
2006163671.tif 000002
【特許請求の範囲】
【請求項１】
画像データを入力する入力手段と、
前記画像データを印刷する印刷手段と、
を備える画像出力装置であって、
前記入力手段は、前記画像データを読み取る前記記録メディアの種類毎の複数の記録メディア読取手段を有し、選択された前記記録メディアの種類に応じた前記記録メディア読取手段からスキャンを開始し、当該記録メディア読取手段に前記記録メディアが挿入されていない場合は、所定のスキャン順序に従って、他の記録メディア読取手段を、順次、スキャンすることを特徴とする画像出力装置。
【請求項２】
画像データを入力する入力手段と、
前記画像データを印刷する印刷手段と、
を備える画像出力装置であって、
前記画像出力装置前面に人体を検知する人体検知センサーを設け、
前記印刷手段終了後、前記人体検知センサーからの人体検知信号に応じて、前記画像データを読み取る記録メディア読取手段をスキャンすることにより、記録メディアの取り出し忘れを検知し、注意喚起の音声ガイダンス出力、又は／及び画面表示を行う後処理手段と、
を具備することを特徴とする画像出力装置。
【請求項３】
画像データを入力する入力手段と、
前記画像データを印刷する印刷手段と、
を備える画像出力装置であって、
前記画像出力装置前面に人体を検知する人体検知センサーを設け、
前記画像出力装置の利用無し状態において、前記人体検知センサーからの人体検知信号に応じて、システムアピールする音声ガイダンス出力、又は／及び画面表示を行う手段と、
を具備することを特徴とする画像出力装置。
【請求項４】
前記入力手段は、前記記録メディア読取手段をスキャンすることにより、記録メディア挿入に関するログ情報を保持するログ保持手段、
を、更に具備することを特徴とする請求項１記載の画像出力装置。
【請求項５】
前記ログ情報は、利用日時、各記録メディア種類の利用回数、記録メディア誤挿入情報等の情報を少なくとも１つ以上を含むことを特徴とする請求項４記載の画像出力装置。
【請求項６】
前記スキャン順序は、前記ログ情報に基づいて設定することを特徴とする請求項１、請求項４、請求項５いずれかに記載の画像プリントシステム。
【請求項７】
記録メディアの取り出し忘れを検知した場合、ネットワークを介して接続された管理者の端末装置に、記録メディア取り忘れの通知を送信することを特徴とする請求項２記載の画像出力装置。
【請求項８】
前記後処理手段は、前記人体検知センサーからの人体検知信号に応じて、所定時間以上、人がいないことを検知した場合、前記画像出力装置の省電力制御機器に対して、省電力モードに切り替える省電力制御手段、
を、更に具備することを特徴とする請求項２記載の画像出力装置。
【請求項９】
コンピュータを請求項１から請求項８までのいずれかに記載の画像出力装置として機能させるプログラム。
【請求項１０】
コンピュータを請求項１から請求項８までのいずれかに記載の画像出力装置として機能させるプログラムを記録した記録媒体。
【発明の詳細な説明】
【技術分野】
【０００１】
本発明は、デジタルカメラで撮影した画像、スキャナで読込んだ画像、持参した記録メディアに記録されている画像データ、装置に予め保存してある画像等を合成編集してプリントできる画像プリントシステム等に関する。
【背景技術】
【０００２】
デジタルカメラ等で撮影した画像は、従来のように写真店にフィルムを持ち込んで印刷してもらうのでなく、パソコンやプリンタなどを用いて自宅でプリントすることが可能である。また、既にプリントされた写真もスキャナー等で読み取り、焼き増し、引き延ばしなどを行うことができる。
【０００３】
ところが、撮影した画像をより美しく、様々な工夫を凝らして加工したいという要求が存在する一方で、デジタルカメラ、パソコン、プリンタ、スキャナー等の電子機器は進歩が速く、次々に性能の高い新製品が売り出されるため、個人が常に、最高級のプリント作成を行うことは難しく、また撮影された画像と合成するフレーム画像等の副画像も、個人では利用可能なものには限界が有る。
【０００４】
そこで、カメラ店等の店舗に設置された、比較的小さなスペースに設置することが可能な画像出力装置である、デジタルフォトプリント装置により、画像が記録された記録メディアや、既にプリントされた写真を持ちこんで、フレーム画像等を合成したりしてプリントする方法がある（デジタルフォトプリントシステム、例えば、［特許文献１］、［非特許文献１］参照。）。
【０００５】
【特許文献１】特開２００２−４６３２４号公報（第１８頁段落番号［０１４５］、図５〜図１０）
【非特許文献１】大日本印刷株式会社、“デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００６】
しかしながら、従来のデジタルフォトプリント装置や画像出力装置等のプリントシステムでは、画面操作等で、データが記録されている記録メディアの種類を選択することで、決められた順序（固定）で各記録メディア読み取り部のスキャンを開始し、目的の記録メディア読み取り部が見つかった時点で画像データの読み取りを開始するため、読み込み開始までに時間がかかった。また、利用者が間違えて異なるメディア挿入口に挿入してしまった場合、その画像データを読み込むことは出来ないという問題があった。
【０００７】
また、プリント終了後、記録メディア取り出し忘れ、つり銭取り出し忘れ、プリント物取り出し忘れ等が、頻発しており、プリント終了時に、一定時間以上経過後、画面表示や、音声ガイダンス等により、注意喚起しているが、それはあくまで、決められた規則により制御されているものであり、取り出し忘れは防げないという問題があった。更に、次の利用者が利用する際、前の利用者が取り忘れた記録メディアが挿入されたままの状態で、異なるメディア挿入口に記録メディアを挿入すると、状況によっては、前の利用者の記録メディアのデータが読み込まれてしまうという問題もあった。
【０００８】
また、プリントシステムがアイドル中（利用なし状態）の場合、宣伝等のデモ画面が表示された状態になっているが、プリントシステムに興味を抱いた利用者にとって、一度も利用したことがないため、「どのようなことが可能なのか、あるいは、何ができるのか」等の疑問があり、画面を見ただけではプリントシステム自体をアピールすることが難しい。
【０００９】
本発明は、以上の点に鑑みてなされたものであり、記録メディアのデータ読み取り方法の向上と、人体検知センサーの設置による操作性の向上を可能とする画像出力装置等を提供することを目的とする。
【課題を解決するための手段】
【００１０】
前述した目的を達成するために第１の発明は、画像データを入力する入力手段と、前記画像データを印刷する印刷手段と、を備える画像出力装置であって、前記入力手段は、前記画像データを読み取る前記記録メディアの種類毎の複数の記録メディア読取手段を有し、選択された前記記録メディアの種類に応じた前記記録メディア読取手段からスキャンを開始し、当該記録メディア読取手段に前記記録メディアが挿入されていない場合は、所定のスキャン順序に従って、他の記録メディア読取手段を、順次、スキャンすることを特徴とする画像出力装置である。
【００１１】
また、入力手段は、前記記録メディア読取手段をスキャンすることにより、記録メディア挿入に関するログ情報を保持するログ保持手段、を、更に具備することが望ましい。
また、前記スキャン順序は、前記ログ情報に応じて設定することが望ましい。
また、前記後処理手段は、前記人体検知センサーからの人体検知信号に応じて、所定時間以上、人がいないことを検知した場合、前記画像出力装置の省電力制御機器に対して、省電力モードに切り替える省電力制御手段、を、更に具備することが望ましい。
また、記録メディアの取り出し忘れを検知した場合、ネットワークを介して接続された管理者の端末装置に、記録メディア取り忘れの通知を送信することが望ましい。
【００１２】
第１の発明では、画像データを入力し、画像データを印刷出力する画像出力装置は、画像データを読み取る記録メディアの種類毎の複数の記録メディア読取部を有し、選択された記録メディアの種類に応じた記録メディア読取手段からスキャンを開始し、当該記録メディア読取手段に記録メディアが挿入されていない場合は、所定のスキャン順序に従って、他の記録メディア読取手段を、順次、スキャンする。
【００１３】
第２の発明は、画像データを入力する入力手段と、前記画像データを印刷する印刷手段と、を備える画像出力装置であって、前記画像出力装置前面に人体を検知する人体検知センサーを設け、前記印刷手段終了後、前記人体検知センサーからの人体検知信号に応じて、前記画像データを読み取る記録メディア読取手段をスキャンすることにより、記録メディアの取り出し忘れを検知し、注意喚起の音声ガイダンス出力、又は／及び画面表示を行う後処理手段と、を具備することを特徴とする画像出力装置である。
第２の発明では、画像データを入力し、画像データを印刷する画像出力装置は、画像出力装置前面に人体を検知する人体検知センサーを設け、印刷処理終了後、人体検知センサーからの人体検知信号に応じて、画像データを読み取る記録メディア読取手段をスキャンすることにより、記録メディアの取り出し忘れを検知し、注意喚起の音声ガイダンス出力、又は／及び画面表示を行う。
【００１４】
第３の発明は、画像データを入力する入力手段と、前記画像データを印刷する印刷手段と、を備える画像出力装置であって、前記画像出力装置前面に人体を検知する人体検知センサーを設け、前記画像出力装置の利用無し状態において、前記人体検知センサーからの人体検知信号に応じて、システムアピールする音声ガイダンス出力、又は／及び画面表示を行う手段と、を具備することを特徴とする画像出力装置である。
第３の発明では、画像データを入力し、画像データを印刷する画像出力装置は、画像出力装置前面に人体を検知する人体検知センサーを設け、画像出力装置の利用無し状態において、人体検知センサーからの人体検知信号に応じて、システムアピールする音声ガイダンス出力、又は／及び画面表示を行う。
【００１５】
「記録メディア」は、スマートメディア、コンパクトフラッシュ（登録商標）カード（ＣＦカード）、SDカード、メモリースティック、フロッピー（登録商標）ディスク、ＰＣカード、ＣＤ−ＲＯＭ等である。
「ログ情報」は、利用日時、各記録メディア種類毎の利用回数、記録メディア誤挿入情報等の記録メディア挿入に関するログ情報であり、記憶装置（ハードディスク）に保持する。
【００１６】
第４の発明は、コンピュータを第１の発明、第２の発明、第３の発明のいずれかの画像出力装置として機能させるプログラムである。
第５の発明は、コンピュータを第１の発明、第２の発明、第３の発明のいずれかの画像出力装置として機能させるプログラムを記録した記録媒体である。
【００１７】
上述のプログラムをＣＤ−ＲＯＭ等の記録媒体に保持させて流通させてもよいし、このプログラムを通信回線を介して送受することもできる。
【発明の効果】
【００１８】
本発明は、記録メディアのデータ読み取り方法の向上と、人体検知センサーの設置による操作性の向上を可能とする画像出力装置等を提供することができる。
【発明を実施するための最良の形態】
【００１９】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００２０】
最初に、図１を参照しながら、本発明の実施の形態に係る画像プリントシステム１００の構成について説明する。
図１は、画像プリントシステム１００の構成を示すブロック図である。
【００２１】
図１は、画像プリントシステムの１例であり、図１に示すように、画像プリントシステム１００は、画像出力装置１０１等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６、リスタート手段１１７等を備える。
【００２２】
画像データ読込書込手段１１１は、被写体１２１をデジタルカメラ等の撮像装置により撮像したり、原稿１２２をスキャナ装置等の原稿読取装置により読み取ったり、予め画像データが記録された記録メディア１２３から読み取ることにより、画像データを取得する。また、画像データ読込書込手段１１１は、画像出力装置１０１が作成した画像データを記録メディア１２３に記録することもできる。
記録メディア１２３は、例えば、スマートメディア、コンパクトフラッシュ（登録商標）カード（ＣＦカード）、SDカード、メモリースティック、フロッピー（登録商標）ディスク、ＰＣカード、ＣＤ−ＲＯＭ等である。
【００２３】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２４】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、はがき等である。
【００２５】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定などがある。尚、利用者は、画像を出力する前に、１つ以上の画像データを指定して加工および合成編集することができる。
【００２６】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２７】
リスタート手段１１７は、プリント終了後の後処理とアイドル処理を行う。リスタート手段１１７は、後処理として、人体検知センサー２１４による、記録メディア１２３の取り出し忘れの監視制御を行い、取り出し忘れを検知すると、注意喚起する音声ガイダンス出力、画面表示、ネットワーク１４０を介して、接続されているシステムの管理者１３０の端末装置１３１に、その旨通知する。また、省電力制御機器に対する省電力モードへの切り替え制御等を行う。また、リスタート手段１１７は、アイドル処理として、利用なし状態において、人体検知センサーからの検知信号を受信し、本システムに対する音声ガイダンス出力、デモ画面表示等を行う。
尚、端末装置１３１は、パーソナルコンピュータ、携帯情報端末（Ｐｅｒｓｏｎａｌ  Ｄｉｇｉｔａｌ  Ａｓｓｉｓｔａｎｔ）等である。
【００２８】
次に、図２を参照しながら、画像出力装置１０１の外観構成について説明する。
図２は、画像出力装置１０１の外観斜視図である。
【００２９】
画像出力装置１０１の上段部正面には、タッチパネル付きモニタ等であるモニタ画面２０１が配置されている。モニタ画面２０１は、操作の案内や、操作の状況や、読み取った画像或いは編集加工した画像等を表示する表示手段としての機能を発揮する。
【００３０】
モニタ画面２０１の画面の下には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。また、レンズ窓２０４の上部には、人体検知センサー２１４が設置される。人体検知センサー２１４は、人を感知するセンサーであり、赤外線センサーや熱センサーを用いることができる。人体検知センサー２１４は、リスタート手段１１７の一部を構成する。尚、人体検知センサー２１４の据え付け位置は、レンズ窓２０４の上部に限るわけではない。画像出力装置１０１の下段部でも、また、画像出力装置１０１の筐体の両側に側壁を設け、両側壁に自体検知センサー２１４を配置してもよい。
【００３１】
メディア挿入口２０２は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００３２】
また、画像出力装置１０１の筐体内には上記各記録メディアの挿入口に対応して、それぞれの読取書込装置の本体が設置されている。各挿入口には、手数料の徴収が完了するまで記録メディアを取り出せないように、シャッタ（図示しない）を備えても良い。
【００３３】
画像出力装置１０１の下段部には、料金投入口（硬貨投入口２０５、紙幣挿入口２０６）、返却レバー２０７、返却口２０８、レシート取出口２０９、プリント物取出口２１０、スピーカ２１１、メンテナンスキー２１２、ドア開閉キー２１３等がそれぞれ配置されている。
【００３４】
料金投入口（硬貨投入口２０５、紙幣挿入口２０６）、返却レバー２０７、返却口２０８、レシート取出口２０９は、課金手段１１６の一部を構成する。
顧客は、硬貨投入口２０５に硬貨を投入したり、紙幣挿入口２０６に紙幣を挿入することにより料金を支払う。釣銭がある場合には返却口２０８から放出されるので、それを受け取れる。また、注文を取りやめる場合や硬貨が詰まった時には硬貨返却レバー２０７を回すことにより返却口２０８から放出されるので、それを受け取れる。
料金を徴収した後、レシート取出口２０９から徴収した金額や注文内容が印刷されたレシートが放出される。
【００３５】
プリント物取出口２１０は、プリント手段１１４の一部を構成する。利用者は、タッチパネルボタンに触れるなどしてプリント実行を指示した後、プリント物取出口２１０から放出されるプリント物１２４を受け取る。
スピーカ２１１は、待機中や操作中に音声、ＢＧＭ、効果音などを再生する。
【００３６】
メンテナンスキー２１２は、利用者を受け付けることのできる通常の運転モードと、管理者が画像プリントシステムの設定やメンテナンスを行う管理モードを切り替えるキーである。
【００３７】
また、外観からは明確に認識できないが、ポスト型画像出力装置１０１の筐体内には、ポスト型画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３８】
次に、図３を参照しながら、画像出力装置１０１の概略構成について説明する。
図３は、画像出力装置１０１のハードウェア構成図である。
【００３９】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３、通信制御部３１４、検知部３１５等が、バス３１６を介して接続される。
【００４０】
制御部３０１は、ＣＰＵ、ＲＯＭ、ＲＡＭ等で構成され、大容量記憶媒体としてのハードディスク３０２に格納されたプログラムに従って、バス３１６を介して接続された各装置を駆動制御する。
【００４１】
ハードディスク３０２には、各構成部分を駆動制御するプログラム、例えば各記録メディア１２３に対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、リスタート手段１１７に相当するプログラム、および、画像の合成に用いるフレーム、背景画像、ぬりえ用の線画イラスト画像等の画像データを記憶した素材データベース１１３、各記録メディア利用回数、記録メディア誤挿入情報、利用日時等の情報からなる記録メディア挿入ログ情報１５１等が格納されている。
【００４２】
これらの各プログラムコードは、制御部３０１により必要に応じて読み出されてＲＡＭに移され、ＣＰＵに読み出されて各種の手段として実行される。
【００４３】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４４】
デジタルカメラ３０５、スキャナ３０６、各種メディア読取書込部３０７（１〜ｎ）は、画像データ読込書込手段１１１に相当する。
シャッタ３０８は、記録メディア挿入口に設けられ、当該記録メディア挿入口を開閉し、読取処理の最中に記録メディアを取り出せないようにしたり、課金処理が完了するまで記録メディアを取り出せないようにすることができる。
【００４５】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物１２４の出力までの一連の操作を行うことができる。
【００４６】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像の印刷出力処理を行う。
通信制御部３１４は、通信制御装置、通信ポート等であり、ネットワーク１４０を介して、画像出力装置１０１と管理者１３０の端末装置１３１間の通信制御を行う。
検知部３１５は、人体検知センサー２１４からの検知信号を受信し、人を感知する。
【００４７】
次に、図４を参照しながら、画像出力装置１０１の動作について説明する。
図４は、画像出力装置１０１の動作を示すフローチャートである。
【００４８】
画像出力装置１０１の制御部３０１は、利用なし状態において、本システムをアピールする音声ガイダンスを出力し、デモ画面を表示するアイドル処理を行う（ステップ４０１）。
【００４９】
画像出力装置１０１の制御部３０１は、サービスの内容、手順、案内等を示すメニュ画面を、モニタ３０９のモニタ画面２０１に表示し、利用者に機能選択させる。（ステップ４０２）。
【００５０】
制御部３０１は、各種メディア３０７、スキャナ３０６、デジタルカメラ３０５等のいずれかを介して、画像データを取得する（ステップ４０３）。利用者は、画像データの入力に際し、記録メディア１２３からの読み取り、スキャナからの読み取り、撮像装置（デジタルカメラ等）による被写体の撮像等の方法を選択する。
【００５１】
制御部３０１（画像処理プログラム）は、利用者の指示に基づいて、画像の加工、編集、合成等を行う（ステップ４０４）。画像の加工、編集、合成は、例えば、入力画像データ同士、フレーム画像、既存画像等の合成、塗色、文字入力、移動、拡大・縮小、はがきデータ作成等である。
【００５２】
制御部３０１は、利用者の注文内容（出力形態（写真プリント、シールプリント、インデックスプリント、はがきプリント等）、プリント枚数等）に応じて、課金処理、レシート発行処理を行う（ステップ４０５）。
【００５３】
制御部３０１（画像処理プログラム）は、色修正、リサイズ、トリミング、レイアウト、文字・ロゴ合成等の画像処理を行い（ステップ４０６）、画像処理した画像データをハードディスク３０２に保持し（ステップ４０７）、出力可能状態となったプリンタ装置に当該画像データを転送し、印刷処理を行う（ステップ４０８）。
【００５４】
制御部３０１は、記録メディア１２３の取り出し忘れ監視制御、省電力制御等の後処理を行う（ステップ４０９）。
【００５５】
画像プリントシステム１００の稼働を続ける場合（ステップ４１０のＮｏ）、制御部３０１は、ステップ４０１〜ステップ４１０までの処理を繰り返す。
【００５６】
次に、ステップ４０１のアイドル処理について詳しく説明する。
図５は、アイドル処理の処理手順を示すフローチャートである。
【００５７】
図５に示すように、制御部３０１は、モニタ画面２０１にアイドル（利用なし状態）中のデモ画面（又は、省電力機能の黒画面）を表示する（ステップ５０１）。
制御部３０１は、人体検知センサー２１４から人の検知を判断しない、すなわち、検出信号を受信しない場合（ステップ５０２のＮｏ）、ステップ５０１に戻り、宣伝等のデモ画面（又は、省電力機能の黒画面）を表示する。
【００５８】
制御部３０１は、人体検知センサー２１４から人の検知を判断した場合（ステップ５０２のＹｅｓ）、すなわち所定時間間隔、検出信号を受信した場合、スピーカ２１１から、システムアピールする音声ガイダンスを出力し（ステップ５０３）、モニタ画面２０１に、これまで表示されている画面内容と異なるデモ画面や、その他のシステムアピールする画面を表示する（ステップ５０４）。利用者がモニタ画面２０１にタッチするまで（ステップ５０５のＮｏ）、ステップ５０３からステップ５０５の処理を繰り返す。利用者がモニタ画面２０１にタッチすると（ステップ５０５のＹｅｓ）、ステップ４０２のメニュ画面表示と機能選択処理へ移行する。
尚、システム環境に応じて、制御部３０１は、人体検知センサー２１４から人の検知を判断した場合、ステップ４０２のメニュ画面表示と機能選択処理へ移行してもよい。
【００５９】
次に、ステップ４０２のメニュ画面表示と機能選択処理において、「記録メディア」を選択した場合の処理について詳しく説明する。
図６は、ステップ４０２の「記録メディア」選択の処理手順を示すフローチャートである。
【００６０】
図６に示すように、利用者がメニュ画面（図示せず）で、記録メディア１２３からの読み込みを行う「記録メディア」を選択すると、制御部３０１は、メディア選択画面８００を、モニタ画面２０１に表示する（ステップ６０１）。図８は、メディア選択画面８００を示す。
図８に示すように、メディア選択画面８００は、記録メディア１２３の種類に応じた複数のメディア番号８０１からなる。メディア番号８０１「１」、「２」、…は、メディア挿入口２０２−１、２０２−２、…に対応している。
【００６１】
利用者は、メディア選択画面８００上の持参した記録メディア１２３の種類に応じたメディア番号８０１「ｎ」を選択し、記録メディア１２３を選択したメディア番号８０１に対応する当該メディア挿入口２０２−ｎに挿入する（ステップ６０２）。
【００６２】
制御部３０１は、選択されたメディア番号８０１「ｎ」のメディア読取書込部３０７−ｎをスキャンし、記録メディア１２３の画像データを読み込む（ステップ６０３）。例えば、選択されたメディア番号８０１「３」に対して、メディア挿入口２０２−３のメディア読取書込部３０７−３からスキャンを開始する。
【００６３】
記録メデイア１２３が挿入されていない場合、制御部３０１は、利用日時、誤挿入メディア番号８０１等の記録メディア誤挿入情報を記録メディア挿入ログ情報１５１としてハードディスク３０２に書き込み（ステップ６０４）、予め、設定されているスキャン順序に従って、ｎを更新し（ステップ６０５）、ステップ６０３に移行し、次のメディア読取書込部３０７−ｎのスキャンを行う。スキャン順序は、記録メディア挿入ログ情報１５１に記録された記録メディア誤挿入情報に基づいて、予め設定したものである。例えば、誤挿入の発生頻度の高い順、昇順等にスキャン順序を設定する。
挿入可能な全てのメディア読取書込部３０７をスキャンし、記録メディア１２３が挿入されていない場合、制御部３０１は、「利用者へ記録メディアの挿入要求」のメッセージを、画面表示、音声ガイダンス出力を行い、ステップ６０１に移行する。
【００６４】
記録メディア１２３の画像データの読み込みが正常終了した場合、制御部３０１は、利用日時、加算した当該記録メディア利用回数等の記録メディア挿入ログ情報１５１をハードディスク３０２に書き込む（ステップ６０６）。
【００６５】
次に、ステップ４０９の画像プリントシステム１００の後処理について詳しく説明する。
図７は、後処理の処理手順を示すフローチャートである。
【００６６】
図７に示すように、制御部３０１は、印刷処理終了後、人体検知センサー２１４からの検出信号（検出信号ＯＮ→ＯＦＦ）を受信するまで（ステップ７０１のＮｏ）、人の監視を行い、人体検知センサー２１４からの検出信号（検出信号ＯＮ→ＯＦＦ）を所定時間、受信すると（ステップ７０１のＹｅｓ）、人が画像出力装置１０１から離れたことを感知し、すべてのメディア読取書込部３０７をスキャンする（ステップ７０２）。
取り忘れの記録メディア１２３がある場合（ステップ７０３のＹｅｓ）、制御部３０１は、「取り忘れの記録メディアあり」メッセージのモニタ画面２０１への表示や、スピーカ２１１からの音声ガイダンス出力を行い（ステップ７０４）、システム管理者１３０の端末装置１３１にその旨の通知を、メール送信する（ステップ７０５）。
【００６７】
制御部３０１は、その他のつり銭忘れ、プリント物忘れ等の注意喚起のメッセージの表示、音声ガイダンス出力を行う（ステップ７０６）。
【００６８】
制御部３０１は、画像出力装置１０１の省電力制御可能な機器（例えば、モニタ画面２０１等）に関しては、省電力モードに切り替える（ステップ７０７）。
【００６９】
以上説明したように、本発明の実施の形態によれば、画像出力装置１０１の制御部３０１は、記録メディア１２３から画像データを読み取る際、選択された記録メディアの種類に応じたメディア番号に該当する記録メディア読取書込部３０７からスキャンを開始し、当該記録メディア読取書込部３０７に前記記録メディアが挿入されていない場合は、所定のスキャン順序に従って、他の記録メディア読取書込部３０７を、順次、スキャンする。また、制御部３０１は、画像出力装置前面に人体を検知する人体検知センサー２１４を設け、印刷処理終了後、人体検知センサー２１４からの検知信号に応じて、人が離れたことを感知し、画像データを読み取る記録メディア読取書込部３０７をスキャンすることにより、記録メディアの取り出し忘れを検知し、注意喚起の音声ガイダンス出力、画面表示を行い、管理者１３０の端末装置１３１へメール等で通知する。また、制御部３０１は、画像出力装置の利用無し状態において、人体検知センサーからの人体検知信号に応じて、人を感知し、システムアピールする音声ガイダンス出力、又は／及び画面表示を行う。
【００７０】
これにより、記録メディアからのデータ読み込みを速く行うことが可能となり、記録メディアを誤挿入した場合でも、挿入した記録メディアを見つけ出し、データを読み込むことを可能とする。
また、印刷処理終了後、人体検知センサーにより人の出入りを監視し、記録メディア読込書込部をスキャンすることにより、記録メディアの取り忘れ等を早期に注意喚起でき、取り忘れを削減可能とする。また、取り忘れを管理者側の端末装置へ通知することにより、システム管理者の負荷も軽減できる。更に、プリントシステムの省電力制御可能な機器に対して、より早期に省電力制御を可能とする。
また、人体検知センサーを据え付け、アイドル中に人の出入りを監視することにより、従来のアイドル中（利用無し状態）のデモ画面表示状態を、興味をいだきプリントシステムの前に立ち止まった人に、よりアピールすることができる。
以上のような問題を軽減させることにより、プリントシステム全体の使い勝手や信頼性を向上させることができ、問題を軽減させることにより、システムの運用負荷も軽減できる効果が期待される。
【００７１】
尚、人体検知センサー２１４で人の検知を判断する時間間隔や回数は、制御する内容（アイドル状態でのデモ画面表示、印刷終了後の記録メディア取り出し忘れ監視制御、省電力制御等）に応じて設定される。
また、人体検知センサー２１４による検知判断は、本実施の形態で示した画面や取り出し忘れ監視制御、省電力制御等に限らない。他の画面、例えば、利用者が機能、パラメタ等を選択、入力する各画面での人体検知センサー２１４による監視制御への展開も可能とする。
【００７２】
以上、添付図面を参照しながら、本発明にかかる画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７３】
【図１】画像プリントシステム１００の構成を示すブロック図
【図２】画像出力装置１０１の外観斜視図
【図３】画像出力装置１０１のハードウェア構成図
【図４】画像出力装置１０１の動作を示すフローチャート
【図５】アイドル処理の処理手順を示すフローチャート
【図６】ステップ４０２の「記録メディア」選択の処理手順を示すフローチャート
【図７】後処理の処理手順を示すフローチャート
【図８】メディア選択画面８００を示す図
【符号の説明】
【００７４】
１００………画像プリントシステム
１０１………画像出力装置
１１１………画像データ読込書込手段
１１２………画像編集合成手段
１１３………素材データベース
１１４………プリント手段
１１５………注文内容入力手段
１１６………課金手段
１１７………リスタート手段
１２３………記録メディア
２０２………メディア挿入口
２１４………人体検知センサー
【図１】
2006163671.tif 000003
【図２】
2006163671.tif 000004
【図３】
2006163671.tif 000005
【図４】
2006163671.tif 000006
【図５】
2006163671.tif 000007
【図６】
2006163671.tif 000008
【図７】
2006163671.tif 000009
【図８】
2006163671.tif 000010